(57)【要約】      （修正有）【課題】適度な堅さであり、片手で滑ることなく簡単に把持できるとともに、一人でも簡単かつ効率的にボール投げのトレーニングを行えるトレーニング用ハンドボールを提供する。【解決手段】投球のフォームの改善、及び筋力の増強を行うトレーニングに使用するトレーニング用ハンドボール１である。トレーニング用ハンドボール１は、柔軟かつ滑りにくい表皮部材を接合して形成された空洞のボール表皮部１０と、ボール表皮部１０内の空洞に充填され、弾性が小さく衝撃収集力を備えた素材で形成された内部部材３０と、を備え、片手で把持したとき、ボール表皮部１０が指で押し込まれる程度に内部部材３０が充填されており、ボール全体として、片手での把持容易、かつ小さな反発性を備える。【選択図】図３
0003211985.tif 000002
【実用新案登録請求の範囲】
【請求項１】
投球のフォームの改善、及び筋力の増強を行うトレーニングに使用するトレーニング用ハンドボールであって、
競技用のハンドボールと同程度の外周、及び、同程度か大きい質量を備え、
柔軟かつ滑りにくい表皮部材を接合して形成された空洞のボール表皮部と、
前記ボール表皮部内の空洞に充填され、弾性が小さく衝撃収集力を備えた素材で形成された内部部材と、を備え、
片手で把持したとき、前記ボール表皮部が指で押し込まれる程度に前記内部部材が充填されており、ボール全体として、片手での把持容易、かつ小さな反発性を備えることを特徴とするトレーニング用ハンドボール。
【請求項２】
前記表皮部材が、合成皮革、人工皮革、合成繊維布、天然繊維布、又は合成樹脂引き布で構成されることを特徴とする請求項１に記載のトレーニング用ハンドボール。
【請求項３】
前記内部部材は、前記ボール表皮部内の空洞に詰め込んだ生地片であることを特徴とする請求項１に記載のトレーニング用ハンドボール。
【請求項４】
地表に落としたとき、バウンドしない程度に前記内部部材が充填されていることを特徴とする請求項１に記載のトレーニング用ハンドボール。
【考案の詳細な説明】
【技術分野】
【０００１】
本考案は、トレーニングに使用するためのボールに関する。
【背景技術】
【０００２】
ハンドボール競技は、７人からなる２組のチームが、手を使ってハンドボールをパスし、相手のゴールに投げ入れて勝負を競うチームスポーツである。このハンドボール競技に使用されるハンドボールは、競技者のクラスにより、１号（小学校用）、２号（中学校、一般女子、大学女子、高校女子）、３号（一般男子、大学男子、高校男子）が規定されている。また、この競技用のハンドボールを使用して「ハンドボール投げ」が、運動能力調査の実行項目として採用されている。
【０００３】
運動能力調査のハンドボール投げには、ハンドボール２号が使用される。このハンドボール２号は、外周５４ｃｍ〜５６ｃｍ，重さ３２５ｇ〜４００ｇである。
【０００４】
ここで、ハンドボール競技の練習や、ハンドボール投げのトレーニングには、競技用のハンドボールを使用することが一般的である。従来、ハンドボールについては、様々な提案がなされている。
【０００５】
特許文献１には、複数枚の皮革パネルを糸により球形に縫い合わせて形成した皮革表皮層内に中空球形のゴム製チューブを収納してなり、該チューブに空気注入バルブを介して圧搾空気が注入されてなる球技用ボールにおいて、上記糸が、縫製後収縮処理される自己収縮糸よりなることを特徴とする球技用ボールが記載されている。
【０００６】
また、特許文献２には、ボール本体の表面の側に表側凹部が設けられ、表側凹部表面部の表面側の開口部を囲む縁部が可撓性を有し、当該開口部がボールを掴む指の腹部で塞がれる大きさであることを特徴とするボールが記載されている。
【先行技術文献】
【特許文献】
【０００７】
【特許文献１】特開平８−１５５０５５号公報
【特許文献２】特開２０１７−０４６８５９号公報
【考案の概要】
【考案が解決しようとする課題】
【０００８】
しかし、競技用のハンドボールは、所定の規格を満足するものではあるが、トレーニングに使用するには不適等である場合がある。即ち、競技用のハンドボールは、表皮が硬く掴みやすいとはいえず、正しい投球フォームを習得したり、投球のための筋力を増強するトレーニングには向いていない場合がある。
【０００９】
また、市販品としてゴム製の練習用ハンドボールが提供されている。しかし、この練習用ハンドボールは、競技用のハンドボールより重く、ゴム製であるため表皮の摩擦が大きい。このため、掴みにくいし、捕球時の衝撃や摩擦により手を痛めやすい。
【００１０】
さらに、上述したハンドボールや、練習用ハンドボールは、大きい弾力を備えるため、落下したときに弾みやすく、一人でトレーニングをしていると、遠方にまで弾んで行ってしまい回収に手間がかかり不便である。
【００１１】
本考案は上述した課題に鑑みてなされたものであり、適度な堅さであり、片手で滑ることなく簡単に把持できるとともに、一人でも簡単かつ効率的にトレーニングを行うことができる、トレーニング用ハンドボールを提供することを目的とする。
【課題を解決するための手段】
【００１２】
前記課題を解決する請求項１に記載の考案は、投球のフォームの改善、及び筋力の増強を行うトレーニングに使用するトレーニング用ハンドボールであって、競技用のハンドボールと同程度の外周、及び、同程度か大きい質量を備え、柔軟かつ滑りにくい表皮部材を接合して形成された空洞のボール表皮部と、前記ボール表皮部内の空洞に充填され、弾性が小さく衝撃収集力を備えた素材で形成された内部部材と、を備え、片手で把持したとき、前記ボール表皮部が指で押し込まれる程度に前記内部部材が充填されており、ボール全体として、片手での把持容易、かつ小さな反発性を備えることを特徴とするトレーニング用ハンドボールである。
【００１３】
本考案によれば、トレーニング用ハンドボールは競技用のハンドボールと同程度の外周長及び同程度か大きい質量を備え、ボール表皮部が柔軟で滑りにくい材質の表皮部材で構成され、内部部材は弾性が小さく衝撃収集力を備えた形成され、ハンドボールを片手で把持したとき、ボール表皮部が指で押し込まれる程度に前記内部部材が充填されており、ボール全体として、片手での把持容易、かつ小さな反発性を備える。
【００１４】
このため、トレーニング時において掴みやすく、正しい投球フォームを習得するのためのトレーニングをしやすい。また、大きい質量のものを使用することで投球に使用する筋力を増強できる。よって、正しい投球フォームを身につけることができる。さらに弾みにくいので、一人でトレーニングをするとき回収の手間が少なくなり、効率的なトレーニングができる。
【００１５】
同じく請求項２に記載の考案は、前記表皮部材が、合成皮革、人工皮革、合成繊維布、天然繊維布、又は合成樹脂引き布で構成されることを特徴とする。
【００１６】
本考案によれば、表皮部材は合成皮革、人工皮革、合成繊維布、天然繊維布又は合成樹脂引き布で構成される。このため、耐滑り性、耐久性に優れたものとできる。
【００１７】
同じく請求項３に記載の考案は、前記内部部材は、前記ボール表皮部内の空洞に詰め込んだ生地片であることを特徴とする。
【００１８】
本考案によれば、内部部材として生地片をボール表皮部内の空洞に詰め込んで形成できる。よって、特別な材質の材料を使用することなく簡単かつ安価にトレーニング用ハンドボールを製造できる。
【００１９】
同じく請求項４に記載の考案は、地表に落としたとき、バウンドしない程度に前記内部部材が充填されていることを特徴とする。
【００２０】
本考案によれば、トレーニング用ハンドボールには、内部部材として地表に落としたとき、バウンドしない程度に内部充填部材が充填されている。よって、一人でトレーニングをするときトレーニング用ハンドボールが弾んで遠方に行ってしまうのを防止でき、回収の手間を減らして効率的なトレーニングが可能となる。
【考案の効果】
【００２１】
本考案に係るトレーニング用ハンドボールによれば、適度な堅さであり、片手で滑ることなく簡単に把持できるとともに、一人でも簡単かつ効率的にボール投げのトレーニングを行うことができる。
【００２２】
即ち、請求項１に記載のトレーニング用ハンドボールによれば、トレーニング時において掴みやすく、投球フォーム改善のためのトレーニングをしやすい。また、大きい質量のものを使用することで投球のための筋力を増強できる。よって、正しい投球フォームを身につけることができる。さらに弾みにくいので、一人でトレーニングをするとき回収の手間が少なくなり、効率的なトレーニングができる。
【００２３】
また、請求項２に記載のトレーニング用ハンドボールによれば、表皮部材は合成皮革、人工皮革、合成繊維布、天然繊維布又は合成樹脂引き布で構成されるので、耐滑り性、耐久性に優れたものとできる。
【００２４】
また、請求項３に記載のトレーニング用ハンドボールによれば、内部部材として生地片をボール表皮部内の空洞に詰め込んで形成できるので、特別な材質の材料を使用することなく簡単かつ安価に製造できる。
【００２５】
そして、請求項４に記載のトレーニング用ハンドボールによれば、トレーニング用ハンドボールには、内部部材として地表に落としたとき、バウンドしない程度に内部充填部材が充填されているので、一人でトレーニングをするとき、トレーニング用ハンドボールが弾んで遠方に行ってしまうことがなく、回収の手間を減らし効率的なトレーニングが可能となる。
【図面の簡単な説明】
【００２６】
【図１】実施形態に係るトレーニング用ハンドボールを示す斜視図である。
【図２】同トレーニング用ハンドボールの他の方向からの斜視図である。
【図３】同トレーニング用ハンドボールの図１中のＡ−Ａ線に相当する断面図である。
【考案を実施するための形態】
【００２７】
本考案を実施するための形態に係るトレーニング用ハンドボールについて説明する。本実施形態に係るトレーニング用ハンドボールは、ハンドボールの正しい投球フォームを習得したり、投球のための筋力を増強するトレーニングを行うために使用できる。
【００２８】
図１は実施形態に係るトレーニング用ハンドボールを示す斜視図、図２は同トレーニング用ハンドボールの他の方向からの斜視図、図３は同トレーニング用ハンドボールの図１中のＡ−Ａ線に相当する断面図である。
【００２９】
本実施形態に係るトレーニング用ハンドボール１は、競技用のハンドボール２号と同程度の外周、即ち外周５４ｃｍ〜５６ｃｍであり、質量３２５ｇ〜４００ｇと同程度か、やや大きい５００ｇの質量を備える。なお、トレーニング用ハンドボール１の外周や質量は必要に応じて変更できる。
【００３０】
また、トレーニング用ハンドボール１は、図１、図２、図３に示すように、球形で中空のボール表皮部１０と、このボール表皮部１０の内部に充填される内部部材３０とから構成されている。ボール表皮部１０は、図１及び図２に示すように、８枚の表皮部材１１〜１８を接合して形成される。この例では、ボール表皮部１０は、６角形の表皮部材１１、１８をボール表皮部１０の対向する両極に配置し、これらの表皮部材１１、１８の各辺と、ボール表皮部１０の緯線を４辺とする表皮部材１２〜１７とを縫い目２１〜２８において縫い合わせて全体を球形に構成している。
【００３１】
また、図３に示すように、ボール表皮部１０の内部の空洞には、内部部材３０が充填されている。内部部材３０は、弾性が小さく衝撃収集力を備えた素材で形成されている。具体的には、内部部材３０は多数の生地片を充填して構成されている。内部部材３０は、トレーニング用ハンドボール１を片手で把持したとき、ボール表皮部１０が指で押し込まれる程度に充填されている。
【００３２】
これにより、トレーニング用ハンドボール１は、ボール全体として、片手での把持容易、かつ小さな反発性を備えるものとされる。本実施形態では、トレーニング用ハンドボール１を地表に落としたとき、バウンドしない程度としている。これにより、一人でトレーニングをするときトレーニング用ハンドボール１が弾んで遠方に行ってしまうのを防止でき、トレーニング用ハンドボール１の回収の手間が少なくでき、効率的なトレーニングが可能となる。なお、トレーニング用ハンドボール１の反発性の程度は、内部部材３０の充填程度により変更できる。
【００３３】
本実施形態では、表皮部材１１〜１８は、布地を基材にして、その表面にポリウレタン樹脂や塩化ビニール等の合成樹脂を塗布した合成皮革で構成できる。この表皮部材１１〜１８は、トレーニング用ハンドボール１を片手で把持したとき滑りにくいもので柔軟なものであれば、合成皮革の他、人工皮革、合成繊維布、天然繊維布、合成樹脂引き布等で構成できる。
【００３４】
なお、この実施形態では、ボール表皮部１０は８枚の表皮部材１１〜１８で構成したが、空洞を備える球状のボール表皮部１０を形成できれば、所定形状の表皮部材を所定枚数だけ組み合わせる公知の構成を採用できる。
【００３５】
内部部材３０は、例えば木綿、羊毛等の天然繊維、ポリアミド系、ポリエチレンテレフタレート系、ポリエチレン系、ポリウレタン系等の合成繊維で形成された生地片である。トレーニング用ハンドボール１の堅さ、弾性を調整するのに適したものを選択して使用することができる。また、生地片の大きさも適宜選択して使用できる。
【００３６】
本実施形態に係るトレーニング用ハンドボール１にあっては、ボール表皮部１０と内部部材３０との合計の質量が５００ｇ程度としている。このため、ボール表皮部１０内には、全体からボール表皮部１０の質量を減じただけの質量の内部部材３０を充填する。
【００３７】
本実施形態に係るトレーニング用ハンドボール１によれば、測定に使用するハンドボールと同定の外周長と同程度よりやや大きい質量を備え、ボール表皮が柔軟で滑りにくい材質の表皮部材で構成され、内部部材は弾性が小さく衝撃収集力を備えた形成され、ボールを片手で把持したとき、ボール表皮部が指で押し込まれる程度に内部部材が充填されており、ボール全体として、片手での把持容易、かつ小さな反発性と良好な衝撃吸収性を備える。
【００３８】
このため、測定に使用するハンドボールと同様に片手で扱え、またトレーニング時において掴みやすくトレーニングをしやすい、さらに弾みにくいので、一人でトレーニングをするとき回収の手間が少なくなり、効率的なトレーニングができる。
【００３９】
また、本実施形態に係るトレーニング用ハンドボール１は、内部部材３０として生地片をボール表皮部１０内の空洞に詰め込んでいるので、特別な材質の材料を使用することなく、所望の性能を備えるトレーニング用ハンドボールを安価に製造できる。
【００４０】
なお、上記実施形態では、トレーニング用ハンドボール１の質量を約５００ｇとしたが、これより大きい質量、例えば８００ｇとすることや、より軽いものとできる。このため、使用者に合わせた質量のトレーニング用ハンドボール１を使用して、腕を含む身体に適切な負荷を掛けることができ、筋力トレーニングや投球フォームの向上に効果的なものとできる。
【産業上の利用可能性】
【００４１】
本考案に係るトレーニング用ハンドボールは、適度な堅さであり、片手で滑ることなく簡単に把持できるとともに、一人でも簡単かつ効率的にボール投げのトレーニングを行うことができ、産業上の利用可能性がある。
【符号の説明】
【００４２】
１：トレーニング用ハンドボール
１０：ボール表皮部
１１〜１８：表皮部材
２１〜２８：縫い目
３０：内部部材
【図１】
0003211985.tif 000003
【図２】
0003211985.tif 000004
【図３】
0003211985.tif 000005
【手続補正書】
【提出日】平成29年6月19日(2017.6.19)
【手続補正１】
【補正対象書類名】実用新案登録請求の範囲
【補正対象項目名】全文
【補正方法】変更
【補正の内容】
【実用新案登録請求の範囲】
【請求項１】
投球のフォームの改善、及び筋力の増強を行うトレーニングに使用するトレーニング用ハンドボールであって、 柔軟かつ滑りにくい表皮部材を接合して形成された空洞のボール表皮部と、  前記ボール表皮部内の空洞に充填され、弾性が小さく衝撃収集力を備えた素材で形成された内部部材と、を備え、  片手で把持したとき、前記ボール表皮部が指で押し込まれる程度に前記内部部材が充填されており、ボール全体として、片手での把持容易、かつ小さな反発性を備えることを特徴とするトレーニング用ハンドボール。
【請求項２】
外周が４９．５ｃｍ〜６０ｃｍ、質量２５５ｇ〜８００ｇであることを特徴とする請求項１に記載のトレーニング用ハンドボール。
【請求項３】
前記表皮部材が、合成皮革、人工皮革、合成繊維布、天然繊維布、又は合成樹脂引き布で構成されることを特徴とする請求項１に記載のトレーニング用ハンドボール。
【請求項４】
前記内部部材は、前記ボール表皮部内の空洞に詰め込んだ生地片であることを特徴とする請求項１に記載のトレーニング用ハンドボール。
【請求項５】
地表に落としたとき、バウンドしない程度に前記内部部材が充填されていることを特徴とする請求項１に記載のトレーニング用ハンドボール。
【手続補正２】
【補正対象書類名】明細書
【補正対象項目名】全文
【補正方法】変更
【補正の内容】
【考案の詳細な説明】
【技術分野】
【０００１】  本考案は、トレーニングに使用するためのボールに関する。
【背景技術】
【０００２】  ハンドボール競技は、７人からなる２組のチームが、手を使ってハンドボールをパスし、相手のゴールに投げ入れて勝負を競うチームスポーツである。このハンドボール競技に使用されるハンドボールは、競技者のクラスにより、１号（小学校用）、２号（中学校、一般女子、大学女子、高校女子）、３号（一般男子、大学男子、高校男子）が規定されている。また、この競技用のハンドボールを使用して「ハンドボール投げ」が、運動能力調査の実行項目として採用されている。【０００３】  運動能力調査のハンドボール投げには、ハンドボール２号が使用される。このハンドボール２号は、外周５４ｃｍ〜５６ｃｍ，重さ３２５ｇ〜４００ｇである。【０００４】  ここで、ハンドボール競技の練習や、ハンドボール投げのトレーニングには、競技用のハンドボールを使用することが一般的である。従来、ハンドボールについては、様々な提案がなされている。【０００５】  特許文献１には、複数枚の皮革パネルを糸により球形に縫い合わせて形成した皮革表皮層内に中空球形のゴム製チューブを収納してなり、該チューブに空気注入バルブを介して圧搾空気が注入されてなる球技用ボールにおいて、上記糸が、縫製後収縮処理される自己収縮糸よりなることを特徴とする球技用ボールが記載されている。【０００６】  また、特許文献２には、ボール本体の表面の側に表側凹部が設けられ、表側凹部表面部の表面側の開口部を囲む縁部が可撓性を有し、当該開口部がボールを掴む指の腹部で塞がれる大きさであることを特徴とするボールが記載されている。
【先行技術文献】
【特許文献】
【０００７】
【特許文献１】特開平８−１５５０５５号公報
【特許文献２】特開２０１７−０４６８５９号公報
【考案の概要】
【考案が解決しようとする課題】
【０００８】  しかし、競技用のハンドボールは、所定の規格を満足するものではあるが、トレーニングに使用するには不適等である場合がある。即ち、競技用のハンドボールは、表皮が硬く掴みやすいとはいえず、正しい投球フォームを習得したり、投球のための筋力を増強するトレーニングには向いていない場合がある。【０００９】  また、市販品としてゴム製の練習用ハンドボールが提供されている。しかし、この練習用ハンドボールは、競技用のハンドボールより重く、ゴム製であるため表皮の摩擦が大きい。このため、掴みにくいし、捕球時の衝撃や摩擦により手を痛めやすい。【００１０】  さらに、上述したハンドボールや、練習用ハンドボールは、大きい弾力を備えるため、落下したときに弾みやすく、一人でトレーニングをしていると、遠方にまで弾んで行ってしまい回収に手間がかかり不便である。【００１１】  本考案は上述した課題に鑑みてなされたものであり、適度な堅さであり、片手で滑ることなく簡単に把持できるとともに、一人でも簡単かつ効率的にトレーニングを行うことができる、トレーニング用ハンドボールを提供することを目的とする。
【課題を解決するための手段】
【００１２】  前記課題を解決する請求項１に記載の考案は、投球のフォームの改善、及び筋力の増強を行うトレーニングに使用するトレーニング用ハンドボールであって、柔軟かつ滑りにくい表皮部材を接合して形成された空洞のボール表皮部と、前記ボール表皮部内の空洞に充填され、弾性が小さく衝撃収集力を備えた素材で形成された内部部材と、を備え、片手で把持したとき、前記ボール表皮部が指で押し込まれる程度に前記内部部材が充填されており、ボール全体として、片手での把持容易、かつ小さな反発性を備えることを特徴とするトレーニング用ハンドボールである。【００１３】  本考案によれば、トレーニング用ハンドボールは、ボール表皮部が柔軟で滑りにくい材質の表皮部材で構成され、内部部材は弾性が小さく衝撃収集力を備えた形成され、ハンドボールを片手で把持したとき、ボール表皮部が指で押し込まれる程度に前記内部部材が充填されており、ボール全体として、片手での把持容易、かつ小さな反発性を備える。【００１４】  このため、トレーニング時において掴みやすく、正しい投球フォームを習得するのためのトレーニングをしやすい。さらに弾みにくいので、一人でトレーニングをするとき回収の手間が少なくなり、効率的なトレーニングができる。【００１５】  同じく請求項２に記載の考案は、外周が４９．５ｃｍ〜６０ｃｍ、質量２５５ｇ〜８００ｇであることを特徴とする。【００１６】  本考案によれば、トレーニング用ハンドボールは競技用の１号〜３号のボールの外周と質量と同等あるいは大きな質量を備える。【００１７】  このため、競技用のボールと同じ感覚で掴んで投球することができる他、大きい質量のものを使用する場合にには投球に使用する筋力を増強できる。よって、正しい投球フォームを身につけることができる。【００１８】  同じく請求項３に記載の考案は、前記表皮部材が、合成皮革、人工皮革、合成繊維布、天然繊維布、又は合成樹脂引き布で構成されることを特徴とする。【００１９】  本考案によれば、表皮部材は合成皮革、人工皮革、合成繊維布、天然繊維布又は合成樹脂引き布で構成される。このため、耐滑り性、耐久性に優れたものとできる。【００２０】  同じく請求項４に記載の考案は、前記内部部材は、前記ボール表皮部内の空洞に詰め込んだ生地片であることを特徴とする。【００２１】  本考案によれば、内部部材として生地片をボール表皮部内の空洞に詰め込んで形成できる。よって、特別な材質の材料を使用することなく簡単かつ安価にトレーニング用ハンドボールを製造できる。【００２２】  同じく請求項５に記載の考案は、地表に落としたとき、バウンドしない程度に前記内部部材が充填されていることを特徴とする。【００２３】  本考案によれば、トレーニング用ハンドボールには、内部部材として地表に落としたとき、バウンドしない程度に内部充填部材が充填されている。よって、一人でトレーニングをするときトレーニング用ハンドボールが弾んで遠方に行ってしまうのを防止でき、回収の手間を減らして効率的なトレーニングが可能となる。
【考案の効果】
【００２４】  本考案に係るトレーニング用ハンドボールによれば、適度な堅さであり、片手で滑ることなく簡単に把持できるとともに、一人でも簡単かつ効率的にボール投げのトレーニングを行うことができる。【００２５】  即ち、請求項１に記載のトレーニング用ハンドボールによれば、トレーニング時において掴みやすく、投球フォーム改善のためのトレーニングをしやすい。よって、正しい投球フォームを身につけることができる。さらに弾みにくいので、一人でトレーニングをするとき回収の手間が少なくなり、効率的なトレーニングができる。【００２６】 また、請求項２に記載のトレーニング用ハンドボールによれば、外周が４９．５ｃｍ〜６０ｃｍ、質量２５５ｇ〜８００ｇであってトレーニング用ハンドボールは競技用の１号〜３号のボールの外周と質量と同等あるいは大きな質量を備えるので、競技用のボールと同じ感覚で掴んで投球することができる他、大きい質量のものを使用する場合には投球に使用する筋力を増強でき、正しい投球フォームを身につけることができる。【００２７】  また、請求項３に記載のトレーニング用ハンドボールによれば、表皮部材は合成皮革、人工皮革、合成繊維布、天然繊維布又は合成樹脂引き布で構成されるので、耐滑り性、耐久性に優れたものとできる。【００２８】  また、請求項４に記載のトレーニング用ハンドボールによれば、内部部材として生地片をボール表皮部内の空洞に詰め込んで形成できるので、特別な材質の材料を使用することなく簡単かつ安価に製造できる。【００２９】  そして、請求項５に記載のトレーニング用ハンドボールによれば、トレーニング用ハンドボールには、内部部材として地表に落としたとき、バウンドしない程度に内部充填部材が充填されているので、一人でトレーニングをするとき、トレーニング用ハンドボールが弾んで遠方に行ってしまうことがなく、回収の手間を減らし効率的なトレーニングが可能となる。
【図面の簡単な説明】
【００３０】
【図１】実施形態に係るトレーニング用ハンドボールを示す斜視図である。
【図２】同トレーニング用ハンドボールの他の方向からの斜視図である。
【図３】同トレーニング用ハンドボールの図１中のＡ−Ａ線に相当する断面図である。
【考案を実施するための形態】
【００３１】  本考案を実施するための形態に係るトレーニング用ハンドボールについて説明する。本実施形態に係るトレーニング用ハンドボールは、ハンドボールの正しい投球フォームを習得したり、投球のための筋力を増強するトレーニングを行うために使用できる。
【００３２】  図１は実施形態に係るトレーニング用ハンドボールを示す斜視図、図２は同トレーニング用ハンドボールの他の方向からの斜視図、図３は同トレーニング用ハンドボールの図１中のＡ−Ａ線に相当する断面図である。
【００３３】  本実施形態に係るトレーニング用ハンドボール１は、競技用のハンドボール２号と同程度の外周、即ち外周５４ｃｍ〜５６ｃｍであり、質量３２５ｇ〜４００ｇと同程度か、やや大きい５００ｇの質量を備える。なお、トレーニング用ハンドボール１の外周や質量は必要に応じて変更できる。
【００３４】  また、トレーニング用ハンドボール１は、図１、図２、図３に示すように、球形で中空のボール表皮部１０と、このボール表皮部１０の内部に充填される内部部材３０とから構成されている。ボール表皮部１０は、図１及び図２に示すように、８枚の表皮部材１１〜１８を接合して形成される。この例では、ボール表皮部１０は、６角形の表皮部材１１、１８をボール表皮部１０の対向する両極に配置し、これらの表皮部材１１、１８の各辺と、ボール表皮部１０の緯線を４辺とする表皮部材１２〜１７とを縫い目２１〜２８において縫い合わせて全体を球形に構成している。
【００３５】  また、図３に示すように、ボール表皮部１０の内部の空洞には、内部部材３０が充填されている。内部部材３０は、弾性が小さく衝撃収集力を備えた素材で形成されている。具体的には、内部部材３０は多数の生地片を充填して構成されている。内部部材３０は、トレーニング用ハンドボール１を片手で把持したとき、ボール表皮部１０が指で押し込まれる程度に充填されている。
【００３６】  これにより、トレーニング用ハンドボール１は、ボール全体として、片手での把持容易、かつ小さな反発性を備えるものとされる。本実施形態では、トレーニング用ハンドボール１を地表に落としたとき、バウンドしない程度としている。これにより、一人でトレーニングをするときトレーニング用ハンドボール１が弾んで遠方に行ってしまうのを防止でき、トレーニング用ハンドボール１の回収の手間が少なくでき、効率的なトレーニングが可能となる。なお、トレーニング用ハンドボール１の反発性の程度は、内部部材３０の充填程度により変更できる。
【００３７】  本実施形態では、表皮部材１１〜１８は、布地を基材にして、その表面にポリウレタン樹脂や塩化ビニール等の合成樹脂を塗布した合成皮革で構成できる。この表皮部材１１〜１８は、トレーニング用ハンドボール１を片手で把持したとき滑りにくいもので柔軟なものであれば、合成皮革の他、人工皮革、合成繊維布、天然繊維布、合成樹脂引き布等で構成できる。
【００３８】  なお、この実施形態では、ボール表皮部１０は８枚の表皮部材１１〜１８で構成したが、空洞を備える球状のボール表皮部１０を形成できれば、所定形状の表皮部材を所定枚数だけ組み合わせる公知の構成を採用できる。
【００３９】  内部部材３０は、例えば木綿、羊毛等の天然繊維、ポリアミド系、ポリエチレンテレフタレート系、ポリエチレン系、ポリウレタン系等の合成繊維で形成された生地片である。トレーニング用ハンドボール１の堅さ、弾性を調整するのに適したものを選択して使用することができる。また、生地片の大きさも適宜選択して使用できる。
【００４０】  本実施形態に係るトレーニング用ハンドボール１にあっては、ボール表皮部１０と内部部材３０との合計の質量が５００ｇ程度としている。このため、ボール表皮部１０内には、全体からボール表皮部１０の質量を減じただけの質量の内部部材３０を充填する。
【００４１】  本実施形態に係るトレーニング用ハンドボール１によれば、測定に使用するハンドボールと同定の外周長と同程度よりやや大きい質量を備え、ボール表皮が柔軟で滑りにくい材質の表皮部材で構成され、内部部材は弾性が小さく衝撃収集力を備えた形成され、ボールを片手で把持したとき、ボール表皮部が指で押し込まれる程度に内部部材が充填されており、ボール全体として、片手での把持容易、かつ小さな反発性と良好な衝撃吸収性を備える。
【００４２】  このため、測定に使用するハンドボールと同様に片手で扱え、またトレーニング時において掴みやすくトレーニングをしやすい、さらに弾みにくいので、一人でトレーニングをするとき回収の手間が少なくなり、効率的なトレーニングができる。
【００４３】  また、本実施形態に係るトレーニング用ハンドボール１は、内部部材３０として生地片をボール表皮部１０内の空洞に詰め込んでいるので、特別な材質の材料を使用することなく、所望の性能を備えるトレーニング用ハンドボールを安価に製造できる。
【００４４】  なお、上記実施形態では、トレーニング用ハンドボール１の質量を約５００ｇとしたが、これより大きい質量、例えば８００ｇとすることや、より軽いものとできる。このため、使用者に合わせた質量のトレーニング用ハンドボール１を使用して、腕を含む身体に適切な負荷を掛けることができ、筋力トレーニングや投球フォームの向上に効果的なものとできる。
【産業上の利用可能性】
【００４５】  本考案に係るトレーニング用ハンドボールは、適度な堅さであり、片手で滑ることなく簡単に把持できるとともに、一人でも簡単かつ効率的にボール投げのトレーニングを行うことができ、産業上の利用可能性がある。
【符号の説明】
【００４６】１：トレーニング用ハンドボール１０：ボール表皮部１１〜１８：表皮部材２１〜２８：縫い目３０：内部部材